(57)【要約】【課題】ＩＰ家電の他責被害を効果的に防止するとともに、他責性確認のための情報を確保する。【解決手段】履歴送信部８０は、リモコン機能部６０の受け付けるアクセスやリモコン操作、更新部７０によるプログラム等のダウンロード更新、家電装置部１０の検出系１１の動作、制御系１２の動作、駆動系１３の動作、の少なくともいずれかの内容を表す履歴データ８５を収集、記憶し、インターネットＮ経由で、監視サーバなど所定のサーバシステムＳへ送信する。異常検出部９０は、上記のような履歴データ８５について、予め用意された前記パターンデータとの照合により監視し、異常を検出した場合に、監視サーバ、管理センター設備、ユーザの携帯電話端末など、所定の送信先へ通知を送る。【選択図】  図１
2006201994.tif 000002
【特許請求の範囲】
【請求項１】
検出系と、制御系と、駆動系と、を含む家電装置部と、
ＩＰネットワークと通信するための接続部と、
前記家電装置部の制御及び前記接続部による前記通信を含む情報処理を行う制御部と、
を備えたＩＰ家電において、
前記制御部により、
前記ＩＰネットワークからのアクセスについて認証のうえ前記家電装置部へのリモコン操作を受け付けて前記家電装置部を制御するリモコン機能手段と、
前記接続部及び前記ＩＰネットワークを経て所定のサーバシステムと通信することにより、前記制御部の前記プログラム又はデータの全部又は一部をダウンロードにより更新する更新手段と、
前記アクセス、前記リモコン操作、前記ダウンロード、前記家電装置部の前記検出系の動作、前記制御系の動作、前記駆動系の動作、の少なくともいずれかの内容を表す履歴データを前記ＩＰネットワーク経由で所定のサーバシステムへ送信する履歴送信手段と、
を備えたことを特徴とするＩＰ家電。
【請求項２】
予め用意された正常又は異常のパターンデータを記憶するパターン記憶部を備え、
前記正常又は異常のパターンデータは、条件、操作及び動作のうち複数を、時間又は回数の条件を伴う又は伴わない論理演算で結合したものを、個別又は類型グループのＩＰ家電又はユーザに対応付けたものであり、
前記制御部により、前記パターン記憶部から読み出す前記パターンデータとの照合により前記履歴データを監視し異常を検出した場合は、所定の送信先へ検出内容を報知する異常検出手段と、
を備えたことを特徴とする請求項１記載のＩＰ家電。
【請求項３】
前記家電装置部をモニタするためのマイクロホン又はビデオカメラの少なくとも一方と、
前記制御部により、前記マイクロホンからの音声情報、前記ビデオカメラからの映像情報、前記検出系、前記制御系、前記駆動系の前記各動作又は所定の入出力値、の少なくともいずれかを所定の提供先へデジタル送信するモニタ手段と、
を備え、
前記リモコン機能手段は、前記リモコン操作として、前記モニタ手段における前記デジタル送信の開始及び終了を含む制御と、障害の診断及び復旧のためのリモコン操作を受け付ける
ことを特徴とする請求項１又は２記載のＩＰ家電。
【請求項４】
前記リモコン機能手段は、
前記ＩＰネットワークからのアクセスの認証として、認証コード又はアクセス元情報の少なくとも一方を用いた第一の認証を行い、
前記家電装置部への前記リモコン操作の種類の一部を特定操作として予め記憶する特定操作記憶部を用い、
前記特定操作記憶部に記憶された前記特定操作を前記ＩＰネットワーク経由で受け付ける場合は、前記アクセスの認証として、前記第一の認証とは異なる認証コード又はアクセス元情報の少なくとも一方を用いる第二の認証を行うとともに、前記履歴送信手段にその特定操作を含む一連のリモコン操作の履歴データを前記ＩＰネットワーク経由で所定のサーバシステムへ送信させる処理、又はその特定操作がされたことを所定の通知先へ通知する処理、の少なくとも一方を行う
ことを特徴とする請求項１から３のいずれか一項に記載のＩＰ家電。
【請求項５】
インターネットとのＷＡＮ側接続のためのＷＡＮ側接続部と、
管理対象とするＩＰ家電の接続される宅内ＬＡＮとのＬＡＮ側接続のためのＬＡＮ側接続部と、
前記各接続部による通信を含む情報処理を行う制御部と、
前記制御部により、前記インターネットからのアクセスについて認証のうえ前記ＩＰ家電へのリモコン操作を受け付け、前記宅内ＬＡＮを経てＩＰ家電を制御するリモコン機能手段と、
前記制御部により、前記ＷＡＮ接続部及び前記インターネットを経て所定のサーバシステムと通信することにより、前記制御部又は管理対象とする前記ＩＰ家電のプログラム又はデータの全部又は一部をダウンロードにより更新する更新手段と、
前記制御部により、前記アクセス、前記リモコン操作、前記ダウンロード、前記ＩＰ家電の検出系の動作、制御系の動作、駆動系の動作、の少なくともいずれかの内容を表す履歴データを前記インターネットを経て所定のサーバシステムへ送信する履歴送信手段と、
を備えたことを特徴とするＩＰ家電管理装置。
【請求項６】
前記宅内ＬＡＮ又は他の接続部を経て接続されるバックアップ用通信手段と、
前記各接続部及びバックアップ用通信手段の制御を含む情報処理を行う制御部と、
前記ＷＡＮ側接続部を用いて通信するためのＷＡＮ側接続設定情報と、前記ＬＡＮ側接続部を用いて通信するためのＬＡＮ側接続設定情報と、のバックアップ記憶部と、
を備えた請求項５記載のＩＰ家電管理装置において、
前記制御部により、前記ＬＡＮ側接続の障害を検出した場合に、前記バックアップ記憶部から読み出す前記ＬＡＮ側接続設定情報を用いて前記ＬＡＮ側接続を復旧すること、又は、前記ＷＡＮ側接続又は前記バックアップ用通信手段を用いて所定の通信先と通信することにより前記障害について報知、診断もしくは復旧を行うこと、の少なくとも一方を行うＬＡＮ障害対応手段と、
前記制御部により、前記ＷＡＮ側接続の障害を検出した場合に、前記バックアップ記憶部から読み出す前記ＷＡＮ側接続設定情報を用いて前記ＷＡＮ側接続を復旧すること、又は、前記バックアップ用通信手段を用いて所定の通信先と通信することにより前記障害について報知、診断もしくは復旧を行うこと、の少なくとも一方を行うＷＡＮ障害対応手段と、
を備えたことを特徴とするＩＰ家電管理装置。
【請求項７】
前記リモコン機能手段は、
前記インターネットからのアクセスの認証として、認証コード又はアクセス元情報の少なくとも一方を用いた第一の認証を行い、
前記各ＩＰ家電への前記リモコン操作の種類の一部を特定操作として予め記憶する特定操作記憶部を用い、
前記特定操作記憶部に記憶された前記特定操作を前記インターネット経由で受け付ける場合は、前記アクセスの認証として、前記第一の認証とは異なる認証コード又はアクセス元情報の少なくとも一方を用いる第二の認証を行うとともに、前記履歴送信手段にその特定操作を含む一連のリモコン操作の履歴データを前記インターネット経由で所定のサーバシステムへ送信させる処理、又はその特定操作がされたことを所定の通知先へ通知する処理、の少なくとも一方を行う
ことを特徴とする請求項５又は６記載のＩＰ家電管理装置。
【請求項８】
予め用意された正常又は異常のパターンデータを記憶するパターン記憶部を備え、
前記正常又は異常のパターンデータは、条件、操作及び動作のうち複数を、時間又は回数の条件を伴う又は伴わない論理演算で結合したものを、個別又は類型グループのＩＰ家電又はユーザに対応付けたものであり、
前記制御部により、前記パターン記憶部から読み出す前記パターンデータとの照合により前記履歴データを監視し異常を検出した場合は、所定の送信先へ検出内容を報知する異常検出手段を備える
ことを特徴とする請求項５から７のいずれか一項に記載のＩＰ家電管理装置。
【請求項９】
インターネットと通信するための接続部と、
前記接続部による前記通信を含む情報処理を行う制御部と、
を備えたサーバシステムにおいて、
前記制御部により前記インターネット及び前記接続部を経てＩＰ家電から又はＩＰ家電の管理装置から、そのＩＰ家電又は管理装置への外部からのアクセス、リモコン操作、プログラム又はデータのダウンロード更新、そのＩＰ家電の検出系の動作、制御系の動作、駆動系の動作、の少なくともいずれかの内容を表す履歴データを、受信し所定の履歴データ記憶部に蓄積する受信蓄積手段と、
条件、操作及び動作のうち複数を、時間又は回数の条件を伴う又は伴わない論理演算で結合したものを、個別又は類型グループのＩＰ家電ごと、前記管理装置ごと又はユーザに対応付けた、正常又は異常のパターンデータを記憶するパターン記憶部と、
前記制御部により、前記パターン記憶部から読み出す前記パターンデータとの照合により前記履歴データを監視するとともに、異常を検出した場合は所定の出力装置又は送信先へ検出内容を出力する異常検出手段と、
を備えたことを特徴とするサーバシステム。
【請求項１０】
検出系と、制御系と、駆動系と、を含む家電装置部と、
ＩＰネットワークと通信するための接続部と、
前記家電装置部の制御及び前記接続部による前記通信を含む情報処理を行う制御部と、
を備えたＩＰ家電の制御方法において、
前記制御部により、
前記ＩＰネットワークからのアクセスについて認証のうえ前記家電装置部へのリモコン操作を受け付けて前記家電装置部を制御するリモコン処理と、
前記接続部及び前記ＩＰネットワークを経て所定のサーバシステムと通信することにより、前記制御部の前記プログラム又はデータの全部又は一部をダウンロードにより更新する更新処理と、
前記アクセス、前記リモコン操作、前記ダウンロード、前記家電装置部の前記検出系の動作、前記制御系の動作、前記駆動系の動作、の少なくともいずれかの内容を表す履歴データを前記ＩＰネットワーク経由で所定のサーバシステムへ送信する履歴送信処理と、
を行うことを特徴とするＩＰ家電の制御方法。
【請求項１１】
予め用意された正常又は異常のパターンデータを所定のパターン記憶部に記憶しておき、
前記正常又は異常のパターンデータは、条件、操作及び動作のうち複数を、時間又は回数の条件を伴う又は伴わない論理演算で結合したものを、個別又は類型グループのＩＰ家電又はユーザに対応付けたものであり、
前記制御部により、前記パターン記憶部から読み出す前記パターンデータとの照合により前記履歴データを監視し異常を検出した場合は、所定の送信先へ検出内容を報知する異常検出処理を行う
ことを特徴とする請求項１０記載のＩＰ家電の制御方法。
【請求項１２】
前記家電装置部をモニタするためのマイクロホン又はビデオカメラの少なくとも一方を用い、
前記制御部により、前記マイクロホンからの音声情報、前記ビデオカメラからの映像情報、前記検出系、前記制御系、前記駆動系の前記各動作又は所定の入出力値、の少なくともいずれかを所定の提供先へデジタル送信するモニタ処理を含み、
前記リモコン処理は、前記リモコン操作として、前記モニタ処理における前記デジタル送信の開始及び終了を含む制御と、障害の診断及び復旧のためのリモコン操作を受け付ける
ことを特徴とする請求項１０又は１１記載のＩＰ家電の制御方法。
【請求項１３】
前記リモコン処理は、
前記ＩＰネットワークからのアクセスの認証として、認証コード又はアクセス元情報の少なくとも一方を用いた第一の認証を行い、
前記家電装置部への前記リモコン操作の種類の一部を特定操作として予め所定の特定操作記憶部に記憶しておき、
前記特定操作記憶部に記憶された前記特定操作を前記ＩＰネットワーク経由で受け付ける場合は、前記アクセスの認証として、前記第一の認証とは異なる認証コード又はアクセス元情報の少なくとも一方を用いる第二の認証を行うとともに、前記履歴送信処理によってその特定操作を含む一連のリモコン操作の履歴データを前記ＩＰネットワーク経由で所定のサーバシステムへ送信させる処理、又はその特定操作がされたことを所定の通知先へ通知する処理、の少なくとも一方を行う
ことを特徴とする請求項１０から１２のいずれか一項に記載のＩＰ家電の制御方法。
【請求項１４】
インターネットとのＷＡＮ側接続のためのＷＡＮ側接続部と、
管理対象とするＩＰ家電の接続される宅内ＬＡＮとのＬＡＮ側接続のためのＬＡＮ側接続部と、
前記各接続部による通信を含む情報処理を行う制御部と、
を備えたＩＰ家電管理装置の制御方法において、
前記制御部により、前記インターネットからのアクセスについて認証のうえ前記ＩＰ家電へのリモコン操作を受け付け、前記宅内ＬＡＮを経てＩＰ家電を制御するリモコン処理と、
前記制御部により、前記ＷＡＮ接続部及び前記インターネットを経て所定のサーバシステムと通信することにより、前記制御部又は管理対象とする前記ＩＰ家電のプログラム又はデータの全部又は一部をダウンロードにより更新する更新処理と、
前記制御部により、前記アクセス、前記リモコン操作、前記ダウンロード、前記ＩＰ家電の検出系の動作、制御系の動作、駆動系の動作、の少なくともいずれかの内容を表す履歴データを前記インターネットを経て所定のサーバシステムへ送信する履歴送信処理と、
を行うことを特徴とするＩＰ家電管理装置の制御方法。
【請求項１５】
前記宅内ＬＡＮ又は他の接続部を経て接続されるバックアップ用通信手段と、
前記各接続部及びバックアップ用通信手段の制御を含む情報処理を行う制御部と、
前記ＷＡＮ側接続部を用いて通信するためのＷＡＮ側接続設定情報と、前記ＬＡＮ側接続部を用いて通信するためのＬＡＮ側接続設定情報と、のバックアップ記憶部と、
を備えたＩＰ家電管理装置を制御する請求項１４記載のＩＰ家電管理装置の制御方法において、
前記制御部により、前記ＬＡＮ側接続の障害を検出した場合に、前記バックアップ記憶部から読み出す前記ＬＡＮ側接続設定情報を用いて前記ＬＡＮ側接続を復旧すること、又は、前記ＷＡＮ側接続又は前記バックアップ用通信手段を用いて所定の通信先と通信することにより前記障害について報知、診断もしくは復旧を行うこと、の少なくとも一方を行うＬＡＮ障害対応処理と、
前記制御部により、前記ＷＡＮ側接続の障害を検出した場合に、前記バックアップ記憶部から読み出す前記ＷＡＮ側接続設定情報を用いて前記ＷＡＮ側接続を復旧すること、又は、前記バックアップ用通信手段を用いて所定の通信先と通信することにより前記障害について報知、診断もしくは復旧を行うこと、の少なくとも一方を行うＷＡＮ障害対応処理と、
を含むことを特徴とするＩＰ家電管理装置の制御方法。
【請求項１６】
前記リモコン処理は、
前記インターネットからのアクセスの認証として、認証コード又はアクセス元情報の少なくとも一方を用いた第一の認証を行い、
前記各ＩＰ家電への前記リモコン操作の種類の一部を特定操作として所定の特定操作記憶部に予め記憶し、
前記特定操作記憶部に記憶された前記特定操作を前記インターネット経由で受け付ける場合は、前記アクセスの認証として、前記第一の認証とは異なる認証コード又はアクセス元情報の少なくとも一方を用いる第二の認証を行うとともに、前記履歴送信処理によってその特定操作を含む一連のリモコン操作の履歴データを前記インターネット経由で所定のサーバシステムへ送信させる処理、又はその特定操作がされたことを所定の通知先へ通知する処理、の少なくとも一方を行う
ことを特徴とする請求項１４又は１５記載のＩＰ家電管理装置の制御方法。
【請求項１７】
予め用意された正常又は異常のパターンデータを所定のパターン記憶部に記憶しておき、
前記正常又は異常のパターンデータは、条件、操作及び動作のうち複数を、時間又は回数の条件を伴う又は伴わない論理演算で結合したものを、個別又は類型グループのＩＰ家電又はユーザに対応付けたものであり、
前記制御部により、前記パターン記憶部から読み出す前記パターンデータとの照合により前記履歴データを監視し異常を検出した場合は、所定の送信先へ検出内容を報知する異常検出処理を行う
ことを特徴とする請求項１４から１６のいずれか一項に記載のＩＰ家電管理装置の制御方法。
【請求項１８】
インターネットと通信するための接続部と、
前記接続部による前記通信を含む情報処理を行う制御部と、
を備えたサーバシステムの制御方法において、
前記制御部により、前記インターネット及び前記接続部を経てＩＰ家電から又はＩＰ家電の管理装置から、そのＩＰ家電又は管理装置への外部からのアクセス、リモコン操作、プログラム又はデータのダウンロード更新、そのＩＰ家電の検出系の動作、制御系の動作、駆動系の動作、の少なくともいずれかの内容を表す履歴データを、前記制御部により受信し所定の履歴データ記憶部に蓄積する受信蓄積処理と、
条件、操作及び動作のうち複数を、時間又は回数の条件を伴う又は伴わない論理演算で結合したものを、個別又は類型グループのＩＰ家電、前記管理装置又はユーザに対応付けた、正常又は異常のパターンデータを記憶するパターン記憶部と、
前記制御部により、前記パターン記憶部から読み出す前記パターンデータとの照合により前記履歴データを監視するとともに、異常を検出した場合は所定の出力装置又は送信先へ検出内容を出力する異常検出処理と、
を含むことを特徴とするサーバシステムの制御方法。
【請求項１９】
検出系と、制御系と、駆動系と、を含む家電装置部と、
ＩＰネットワークと通信するための接続部と、
前記家電装置部の制御及び前記接続部による前記通信を含む情報処理を行う制御部と、
を備えたＩＰ家電の制御プログラムにおいて、
前記制御部により、
前記ＩＰネットワークからのアクセスについて認証のうえ前記家電装置部へのリモコン操作を受け付けて前記家電装置部を制御するリモコン処理と、
前記接続部及び前記ＩＰネットワークを経て所定のサーバシステムと通信することにより、前記制御部の前記プログラム又はデータの全部又は一部をダウンロードにより更新する更新処理を行わせ、
前記アクセス、前記リモコン操作、前記ダウンロード、前記家電装置部の前記検出系の動作、前記制御系の動作、前記駆動系の動作、の少なくともいずれかの内容を表す履歴データを前記ＩＰネットワーク経由で所定のサーバシステムへ送信する履歴送信処理を行わせる、
ことを特徴とするＩＰ家電の制御プログラム。
【請求項２０】
予め用意された正常又は異常のパターンデータを所定のパターン記憶部に記憶しておき、
前記正常又は異常のパターンデータは、条件、操作及び動作のうち複数を、時間又は回数の条件を伴う又は伴わない論理演算で結合したものを、個別又は類型グループのＩＰ家電又はユーザに対応付けたものであり、
前記制御部により、前記パターン記憶部から読み出す前記パターンデータとの照合により前記履歴データを監視し異常を検出した場合は、所定の送信先へ検出内容を報知する異常検出処理を行わせる
ことを特徴とする請求項１９記載のＩＰ家電の制御プログラム。
【請求項２１】
インターネットとのＷＡＮ側接続のためのＷＡＮ側接続部と、
管理対象とするＩＰ家電の接続される宅内ＬＡＮとのＬＡＮ側接続のためのＬＡＮ側接続部と、
前記各接続部による通信を含む情報処理を行う制御部と、
を備えたＩＰ家電管理装置の制御プログラムにおいて、
前記制御部により、
前記インターネットからのアクセスについて認証のうえ前記ＩＰ家電へのリモコン操作を受け付け、前記宅内ＬＡＮを経てＩＰ家電を制御するリモコン処理と、
前記ＷＡＮ接続部及び前記インターネットを経て所定のサーバシステムと通信することにより、前記制御部又は管理対象とする前記ＩＰ家電のプログラム又はデータの全部又は一部をダウンロードにより更新する更新処理と、
前記アクセス、前記リモコン操作、前記ダウンロード、前記ＩＰ家電の検出系の動作、制御系の動作、駆動系の動作、の少なくともいずれかの内容を表す履歴データを前記インターネットを経て所定のサーバシステムへ送信する履歴送信処理と、
を行わせることを特徴とするＩＰ家電管理装置の制御プログラム。
【請求項２２】
前記リモコン処理は、
前記インターネットからのアクセスの認証として、認証コード又はアクセス元情報の少なくとも一方を用いた第一の認証を行い、
前記各ＩＰ家電への前記リモコン操作の種類の一部を特定操作として所定の特定操作記憶部に予め記憶し、
前記特定操作記憶部に記憶された前記特定操作を前記ＩＰネットワーク経由で受け付ける場合は、前記アクセスの認証として、前記第一の認証とは異なる認証コード又はアクセス元情報の少なくとも一方を用いる第二の認証を行うとともに、前記履歴送信処理によってその特定操作を含む一連のリモコン操作の履歴データを前記ＩＰネットワーク経由で所定のサーバシステムへ送信させる処理、又はその特定操作がされたことを所定の通知先へ通知する処理、の少なくとも一方を行う
ことを特徴とする請求項２１記載のＩＰ家電管理装置の制御プログラム。
【請求項２３】
予め用意された正常又は異常のパターンデータを所定のパターン記憶部に記憶しておき、
前記正常又は異常のパターンデータは、条件、操作及び動作のうち複数を、時間又は回数の条件を伴う又は伴わない論理演算で結合したものを、個別又は類型グループのＩＰ家電又はユーザに対応付けたものであり、
前記制御部により、前記パターン記憶部から読み出す前記パターンデータとの照合により前記履歴データを監視し異常を検出した場合は、所定の送信先へ検出内容を報知する異常検出処理を行う
ことを特徴とする請求項２１又は２２のいずれか一項に記載のＩＰ家電管理装置の制御プログラム。
【発明の詳細な説明】
【技術分野】
【０００１】
本発明は、ＩＰ家電における不正侵入などの他責被害を効果的に防止するとともに、他責性確認のための情報を確保する技術に関する。
【背景技術】
【０００２】
近年、パソコン（パーソナルコンピュータ）に代表される電子情報処理システム（以下「パソコン等」と呼ぶ）の技術と、インターネットに代表される通信技術が、世界中で大幅な進歩普及を遂げ、社会の各方面に大きな利点や革新をもたらしている。その一方、職場、家庭、学校などで急速に数の増えたパソコン等では、悪意の第三者による不正侵入やコンピュータウイルス感染による障害など、ユーザ以外の責任による被害が増えており、このような被害の性質を「他責」と呼ぶこととする。本出願人は、パソコンに代表される電子情報処理システムを対象として、上記のような他責被害を防止するとともに、障害復旧費用の保険適用を念頭に被害の他責性を確認するための情報を確保する技術を出願している（特許文献１参照）。
【特許文献１】特開２００４−２０６６８３
【発明の開示】
【発明が解決しようとする課題】
【０００３】
ところで、上記のような電子情報処理と通信における技術の普及成熟に伴い、家庭用等の例えば電子レンジ等の調理器具、冷蔵庫、洗濯機、風呂のボイラやエアコンといった各種電気製品（以下「家電」と総称する）に通信ネットワーク接続機能を持たせた、いわゆるＩＰ家電（ＩＰ家電装置）の提案も増加しつつある。
【０００４】
しかし、ＩＰ家電には、ＣＰＵやメモリなどを用いる電子情報処理システムの要素と、モータや熱交換器など家電の要素とがあり、前者はパソコン等と同様に特許文献１の対象となるが、後者はその特質が異なるため特段の技術的対応が望まれる。
【０００５】
すなわち、ＩＰ家電の持つ家電の要素は、パソコン等と比べて、人間生活での不可欠度が高いと同時に、熱や水周りなど衛生や安全に直結する特質がある一方、ユーザ層は子供からお年寄りまで幅広く、障害への対処においては、能力、必要な手順、安全性などの点で、パソコン等での単なるリセットやプログラムの入れ直しと同列の対処では不十分である。
【０００６】
本発明は、上記のような課題を解決するもので、その目的は、ＩＰ家電の他責被害を効果的に防止するとともに、他責性確認のための情報を確保する技術を提供することである。また、本発明の他の目的は、ユーザに高度の能力を要求することなく、障害の復旧を効果的に支援する技術を提供することである。
【課題を解決するための手段】
【０００７】
上記の目的を達成するため、本発明の一態様は（請求項１、１０、１９）、検出系と、制御系と、駆動系と、を含む家電装置部と、ＩＰネットワークと通信するための接続部と、前記家電装置部の制御及び前記接続部による前記通信を含む情報処理を行う制御部と、を備えたＩＰ家電（その制御方法、プログラム）において、前記制御部により、前記ＩＰネットワークからのアクセスについて認証のうえ前記家電装置部へのリモコン操作を受け付けて前記家電装置部を制御するリモコン機能手段（リモコン処理）と、前記接続部及び前記ＩＰネットワークを経て所定のサーバシステムと通信することにより、前記制御部の前記プログラム又はデータの全部又は一部をダウンロードにより更新する更新手段（更新処理）と、前記アクセス、前記リモコン操作、前記ダウンロード、前記家電装置部の前記検出系の動作、前記制御系の動作、前記駆動系の動作、の少なくともいずれかの内容を表す履歴データを前記ＩＰネットワーク経由で所定のサーバシステムへ送信する履歴送信手段（履歴送信処理）と、を実現することを特徴とする。
【０００８】
このように、他責被害のきっかけとなりうる外部との通信アクセス、リモコン操作、ダウンロード更新の履歴データと、安全などにかかわる可能性のある家電装置部の駆動系、検出系、制御系の各動作内容の履歴データについて、所定のサーバへ送信し蓄積や異常検出などの対象とすることにより、他責被害の防止と他責性確認の資料収集が可能となる。
【０００９】
本発明の他の態様は（請求項５、１４、２１）、インターネットとのＷＡＮ側接続のためのＷＡＮ側接続部と、管理対象とするＩＰ家電の接続される宅内ＬＡＮとのＬＡＮ側接続のためのＬＡＮ側接続部と、前記各接続部による通信を含む情報処理を行う制御部と、を備えたＩＰ家電管理装置（その制御方法、プログラム）において、前記制御部により、前記インターネットからのアクセスについて認証のうえ前記ＩＰ家電へのリモコン操作を受け付け、前記宅内ＬＡＮを経てＩＰ家電を制御するリモコン機能手段（リモコン処理）と、前記ＷＡＮ接続部及び前記インターネットを経て所定のサーバシステムと通信することにより、前記制御部又は管理対象とする前記ＩＰ家電のプログラム又はデータの全部又は一部をダウンロードにより更新する更新手段（更新処理）と、前記アクセス、前記リモコン操作、前記ダウンロード、前記ＩＰ家電の検出系の動作、制御系の動作、駆動系の動作、の少なくともいずれかの内容を表す履歴データを前記インターネットを経て所定のサーバシステムへ送信する履歴送信手段（履歴送信処理）と、を実現することを特徴とする。
【００１０】
このように、インターネットと宅内ＬＡＮの間に、ルータやゲートウェイのように接続する管理装置を用いることにより、宅内ＬＡＮ上の複数のＩＰ家電を、低コストで容易に漏れなく集中管理することが可能となる。
【００１１】
本発明の他の態様は（請求項２、１１、２０／  ８、１７、２３）、上記態様のＩＰ家電／ＩＰ家電管理装置（その制御方法、プログラム）において、正常又は異常のパターンデータを所定のパターン記憶部に予め用意し、前記正常又は異常のパターンデータは、条件、操作及び動作のうち複数を、時間又は回数の条件を伴う又は伴わない論理演算で結合したものを、個別又は類型グループのＩＰ家電又はユーザに対応付けたものであり、前記制御部により、前記パターン記憶部から読み出す前記パターンデータとの照合により前記履歴データを監視し異常を検出した場合は、所定の送信先へ検出内容を報知する異常検出手段（異常検出処理）、を実現することを特徴とする。
【００１２】
このように、履歴データの異常検出に用いる正常や異常のパターンデータとして、ＩＰ家電の機種別やシリーズ別、ユーザのグループ別や個人別に、条件、操作や動作の論理演算を用いることにより、目的や事情に合わせてきめ細かく複雑な判断を容易に適用可能となる。
【００１３】
本発明の他の態様では（請求項３、１２）、上記態様のＩＰ家電（その制御方法）において、前記家電装置部をモニタするためのマイクロホン又はビデオカメラの少なくとも一方を用い、前記制御部により、前記マイクロホンからの音声情報、前記ビデオカメラからの映像情報、前記検出系、前記制御系、前記駆動系の前記各動作又は所定の入出力値、の少なくともいずれかを所定の提供先へデジタル送信するモニタ手段（モニタ処理）を実現し、前記リモコン機能手段（リモコン処理）は、前記リモコン操作として、前記モニタ手段における前記デジタル送信の開始及び終了を含む制御と、障害の診断及び復旧のためのリモコン操作を受け付けることを特徴とする。
【００１４】
このように、各部分の外観や動きなどの状態に関する情報を、映像による視覚や、音声による聴覚、検出系、制御系や駆動系などの入出力値などにより伝達することで、リモコン操作により遠隔診断、調整、再起動などによる復旧その他の操作を遠隔から技術者が行えるので、他責被害やその他の障害の診断や復旧が早くなり、また、障害による損失規模やユーザの不便が最小限に抑制可能となる。
【００１５】
本発明の他の態様では（請求項４、１３／  ７、１６、２２）、上記態様のＩＰ家電（その制御方法）／ＩＰ家電管理装置（その制御方法、プログラム）において、前記リモコン機能手段（リモコン処理）は、前記ＩＰネットワーク（インターネット）からのアクセスの認証として、認証コード又はアクセス元情報の少なくとも一方を用いた第一の認証を行い、前記家電装置部（ＩＰ家電）への前記リモコン操作の種類の一部を特定操作として予め所定の特定操作記憶部に記憶しておき、前記特定操作記憶部に記憶された前記特定操作を前記ＩＰネットワーク経由で受け付ける場合は、前記アクセスの認証として、前記第一の認証とは異なる認証コード又はアクセス元情報の少なくとも一方を用いる第二の認証を行うとともに、前記履歴送信手段（履歴送信処理）によりその特定操作を含む一連のリモコン操作の履歴データを前記ＩＰネットワーク経由で所定のサーバシステムへ送信させる処理、又はその特定操作がされたことを所定の通知先へ通知する処理、の少なくとも一方を行うことを特徴とする。
【００１６】
このように、他責被害の突破口となりやすいネット経由のリモコン操作のうち、損害が拡大する可能性のある特定操作について、別のパスワードやアクセス元アドレスなどで通常より厳重な認証を条件とし、しかも、その操作があったことやそのログを所定のサーバや通知先へ送る。これにより、他責被害の効果的な予防と拡大防止、履歴データに基づく事後の他責性確認による保険適用、手口分析による対抗策の検討なども効果的に支援できる。また、保険についても、被害の予防と拡大防止によりリスクと保険料率の抑制が可能となる。
【００１７】
本発明の他の態様では（請求項６、１５）、上記態様（請求項５、１４）のＩＰ家電管理装置（その制御方法）において、前記宅内ＬＡＮ又は他の接続部を経て接続されるバックアップ用通信手段と、前記各接続部及びバックアップ用通信手段の制御を含む情報処理を行う制御部と、前記ＷＡＮ側接続部を用いて通信するためのＷＡＮ側接続設定情報と、前記ＬＡＮ側接続部を用いて通信するためのＬＡＮ側接続設定情報と、のバックアップ記憶部と、前記制御部により、前記ＬＡＮ側接続の障害を検出した場合に、前記バックアップ記憶部から読み出す前記ＬＡＮ側接続設定情報を用いて前記ＬＡＮ側接続を復旧すること、又は、前記ＷＡＮ側接続又は前記バックアップ用通信手段を用いて所定の通信先と通信することにより前記障害について報知、診断もしくは復旧を行うこと、の少なくとも一方を行うＬＡＮ障害対応手段（ＬＡＮ障害対応処理）と、前記制御部により、前記ＷＡＮ側接続の障害を検出した場合に、前記バックアップ記憶部から読み出す前記ＷＡＮ側接続設定情報を用いて前記ＷＡＮ側接続を復旧すること、又は、前記バックアップ用通信手段を用いて所定の通信先と通信することにより前記障害について報知、診断もしくは復旧を行うこと、の少なくとも一方を行うＷＡＮ障害対応手段（ＷＡＮ障害対応処理）と、を備えたことを特徴とする。
【００１８】
このように、ルータやゲートウェイのようにＷＡＮ側とＬＡＮ側接続を持ち、宅内ＬＡＮ経由でＩＰ家電を集中管理する管理装置において、ＷＡＮ側とＬＡＮ側の接続障害を、バックアップしておいたそれぞれの接続設定で復旧することに加え、復旧失敗など場合により、障害がない側の接続手段や別途のバックアップ用通信手段により支援や監視用のセンタサーバなどと通信して障害の報知、診断や復旧を行うことができる。これにより、ＷＡＮ側とＬＡＮ側の接続を用いたＩＰ家電の集中管理という複雑な形態においても、ユーザに知識や能力を要求することなく、接続がらみの障害を容易に復旧し、障害の影響や復旧費用を最小限に抑制することが可能となる。
【００１９】
本発明の他の態様では（請求項９、１８）、インターネットと通信するための接続部と、前記接続部による前記通信を含む情報処理を行う制御部と、を備えたサーバシステム（その制御方法）において、前記制御部により前記インターネット及び前記接続部を経てＩＰ家電から又はＩＰ家電の管理装置から、そのＩＰ家電又は管理装置への外部からのアクセス、リモコン操作、プログラム又はデータのダウンロード更新、そのＩＰ家電の検出系の動作、制御系の動作、駆動系の動作、の少なくともいずれかの内容を表す履歴データを、受信し所定の履歴データ記憶部に蓄積する受信蓄積手段（受信蓄積処理）と、条件、操作及び動作のうち複数を、時間又は回数の条件を伴う又は伴わない論理演算で結合したものを、個別又は類型グループのＩＰ家電ごと、前記管理装置ごと又はユーザに対応付けた、正常又は異常のパターンデータを所定のパターン記憶部に記憶しておき、前記制御部により、前記パターン記憶部から読み出す前記パターンデータとの照合により前記履歴データを監視するとともに、異常を検出した場合は所定の出力装置又は送信先へ検出内容を出力する異常検出手段（異常検出処理）と、を実現することを特徴とする。
【００２０】
このように、インターネット経由で集まってくる履歴データについて、正常や異常のパターンデータに基づく異常検出をサーバで集中して行うことにより、最新のパターンデータを利用しながらその配信無しで他責被害の検出が可能となる。
【発明の効果】
【００２１】
以上のように、他責被害のきっかけとなりうる外部との通信アクセス、リモコン操作、ダウンロード更新の履歴データと、安全などにかかわる可能性のある家電装置部の駆動系、検出系、制御系の各動作内容の履歴データについて、所定のサーバへ送信し蓄積や異常検出などの対象とすることにより、ＩＰ家電の他責被害を効果的に防止するとともに、他責性確認のための情報を確保することが可能となる。
【発明を実施するための最良の形態】
【００２２】
次に、本発明を実施するための最良の複数の実施形態について、図面を参照して説明する。なお、背景技術や課題で述べた従来の技術と共通の前提は繰り返さない。
【００２３】
〔１．第１実施形態〕
第１実施形態は、個々のＩＰ家電に管理機能を組み込んだ例である。なお、本出願にいうＩＰ家電は、狭義の家庭用には限定されず、オフィス用、産業用、航空宇宙用、軍用等の適用分野を問わず、給湯器、風呂釜、浴室乾燥機、ガスコンロ、各種ＩＨ（電磁加熱）調理器、電子レンジ、電気炊飯器、自動餅つき機、自動パン焼き機、フードプロセッサー（ジューサー、ミキサー、スライサー等）、電気保温ポット、加湿器、除湿機、火災感知器、エアコン、セントラルヒーティング装置、床暖房装置、テレビ受信機、ラジオ受信機、オーディオ装置、ビデオレコーダ、ＤＶＤレコーダ、ＨＤＤレコーダ、これらの複合機、食品加工機械等の生産装置、他のＩＰ家電に対する中央制御装置などを広く含む。
【００２４】
〔１−１．第１実施形態の構成〕
図１に示すように、第１実施形態におけるＩＰ家電１は、エアコン等の家電装置部１０と、ＩＰネットワークである宅内ＬＡＮ２０やインターネットＮと通信するための接続部４０と、家電装置部１０の制御及び接続部４０による通信を含む情報処理を行うＣＰＵなどの制御部５０と、を備える。宅内ＬＡＮ２０や接続部４０の種類は、１００ＢＡＳＥ−ＴＸや無線ＬＡＮなど自由に選択可能であり、宅内ＬＡＮ２０は、ルータやモデム等の接続機器Ｒを経てインターネットＮに接続される。
【００２５】
また、家電装置部１０は、温度センサや流量計などの検出系１１と、フィードバック回路やサーボ機構などの制御系１２と、モータ、電熱ヒータ、電磁弁などの駆動系１３と、を含む。また、ＩＰ家電１は、制御部５０をプログラム５５で制御することにより、リモコン機能部６０、更新部７０、履歴送信部８０、異常検出部９０、モニタ部１００などの各機能を実現するもので、これら各部は以下のように働く。
【００２６】
〔１−２．第１実施形態の作用効果〕
第１実施形態において、ユーザは外出先のパソコンや携帯電話端末等の図示しないクライアントシステムからインターネットＮ経由で宅内のＩＰ家電１をリモコン操作でき、このようなアクセスに基づく処理手順の一例を図２のフローチャートに示す。
【００２７】
〔１−２−１．リモコン操作の受付〕
すなわち、インターネットＮからのアクセスについては、リモコン機能部６０が認証のうえ（ステップ０１）、家電装置部１０へのリモコン操作を受け付け（ステップ０２）、それにしたがって家電装置部１０を制御する（ステップ０５）。
【００２８】
また、更新部７０は、上記のようなリモコン操作の一種として、又は定期的に、接続部４０及びインターネットＮを経て、ＩＰ家電メーカ等による所定のサーバシステムと通信することにより、制御部５０の前記プログラム５５やデータの全部又は一部、もしくは、家電装置部１０の制御系１２のプログラムやデータの全部又は一部を、ダウンロードにより更新する。
【００２９】
〔１−２−２．リモコン操作の種類に応じた認証〕
また、第１実施形態では、二種類の認証を用いる。すなわち、通常の認証（ステップ０１）としては、所定の認証コード（ＩＤ、パスワードなど形式は問わない）又はアクセス元情報（例えばアクセス元の携帯電話端末の製造番号、ＩＰアドレス、パソコンのＣＰＵシリアル番号やクッキー情報など）の少なくとも一方を用いた第一の認証を行う。
【００３０】
但し、リモコン操作の種類によってはより厳密な認証を行う。すなわち、リモコン機能部６０は、家電装置部１０へのリモコン操作の種類の一部、例えば、調理器具や風呂ボイラなどの加熱運転開始、電子錠の開錠、冷蔵庫の停止、洗濯機注水、エアコンのオンオフや所定温度帯外への変更などを特定操作として、特定操作記憶部６５に予め記憶しておく。
【００３１】
そして、リモコン機能部６０は、インターネットＮ経由で受け付けるリモコン操作の命令内容が上記のように記憶された特定操作の場合は（ステップ０３）、より厳重なアクセスの認証として、前記第一の認証とは異なる認証コード又はアクセス元情報の少なくとも一方を用いる第二の認証を行うとともに（ステップ０４）、履歴送信部８０に、その特定操作を含む一連のリモコン操作の履歴データをインターネットＮ経由で所定のサーバシステム（例えばサーバＳ）へ送信させる処理（ステップ０７）、又は、その特定操作がされたことを所定の通知先（例えば、ユーザの携帯電話端末や監視センターのコンソールなど）へ通知する処理、の少なくとも一方を行う。
【００３２】
〔１−２−３．履歴データの送信〕
また、履歴送信部８０は、前記リモコン機能部６０の受け付ける前記アクセスやリモコン操作、更新部７０による前記ダウンロード、家電装置部１０の検出系１１の動作、制御系１２の動作、駆動系１３の動作、の少なくともいずれかの内容を表す履歴データ８５を収集、記憶し（ステップ０６）、インターネットＮ経由で、監視サーバなど所定のサーバシステム（例えばサーバＳ）へ送信する（ステップ０７）。
【００３３】
このように、他責被害のきっかけとなりうる外部との通信アクセス、リモコン操作、ダウンロード更新の履歴データと、安全などにかかわる可能性のある家電装置部の駆動系、検出系、制御系の各動作内容の履歴データについて、所定のサーバへ送信し蓄積や異常検出などの対象とすることにより、他責被害の防止と他責性確認の資料収集が可能となる。
【００３４】
特に、第１実施形態では、他責被害の突破口となりやすいネット経由のリモコン操作のうち、損害が拡大する可能性のある特定操作について、別のパスワードやアクセス元アドレスなどで通常より厳重な認証を条件とし、しかも、その操作があったことやそのログを所定のサーバや通知先へ送る。これにより、他責被害の効果的な予防と拡大防止、履歴データに基づく事後の他責性確認による保険適用、手口分析による対抗策の検討なども効果的に支援できる。また、保険についても、被害の予防と拡大防止によりリスクと保険料率の抑制が可能となる。
【００３５】
〔１−２−４．異常の検出と報知〕
また、ＩＰ家電１は、予め用意された正常又は異常のパターンデータを記憶するパターン記憶部９５を備え、前記正常又は異常のパターンデータは、条件、操作及び動作のうち複数を、時間又は回数の条件を伴う又は伴わない論理演算で結合したもので、図示はしないが個別又は類型グループのＩＰ家電又はユーザに対応付けたものである。
【００３６】
図１に示している正常パターンでは、例えば、プログラム更新は宅内からの操作が正常であるし、また、風呂の追炊き運転開始後少なくとも１０分後には浴槽の水位は所定目盛以上であるのが正常であることを示している。一方、図１において、同じ内容を異常パターンとして表現する例では、プログラム更新をわざわざ外部からリモコン操作で行うのは不自然であり、また、風呂の追炊き運転開始後１０分以上経って水位０のままであればやはり不自然であり、異常と判定できる。
【００３７】
そして、異常検出部９０は、上記のような履歴データ８５について、予め用意された前記パターンデータとの照合により監視し、異常を検出した場合に（ステップ０８）所定の送信先（例えば、監視サーバ、管理センター設備、ユーザの携帯電話端末など）へ報知する（ステップ０９）。
【００３８】
このように、履歴データの異常検出に用いる正常や異常のパターンデータとして、ＩＰ家電の機種別やシリーズ別、ユーザのグループ別や個人別に、条件、操作や動作の論理演算を用いることにより、目的や事情に合わせてきめ細かく複雑な判断を容易に適用可能となる。
【００３９】
〔１−２−５．障害復旧の支援〕
また、ＩＰ家電１には、マイクロホンＭ又はビデオカメラＶの少なくとも一方を備えることが望ましい。この場合、モニタ部１００は、マイクロホンＭからの音声情報、ビデオカメラＶからの映像情報、検出系１１、制御系１２、駆動系１３における各動作又は所定の入出力値、の少なくともいずれかを、所定の提供先（例えば遠隔メンテナンス用設備など）へデジタル送信する。デジタル送信の形式は自由で、例えば、前記映像情報について、動画／静止画の別、カラー／モノクロの別、ＪＰＥＧ／ＭＰＥＧなどの形式などは自由である。
【００４０】
また、リモコン機能部６０は、前記リモコン操作として、モニタ部１００における前記デジタル送信の開始及び終了を含む制御と、障害の診断及び復旧のためのリモコン操作、例えば、再起動や調整などを受け付ける。
【００４１】
このように、各部分の外観や動きなどの状態に関する情報を、映像による視覚や、音声による聴覚、検出系、制御系や駆動系などの入出力値などにより伝達することで、リモコン操作により遠隔診断、調整、再起動などによる復旧その他の操作を遠隔から技術者が行えるので、他責被害やその他の障害の診断や復旧が早くなり、また、障害による損失規模やユーザの不便が最小限に抑制可能となる。
【００４２】
〔２．第２実施形態〕
第２実施形態は、ＩＰ家電に対する管理の機能を、ＩＰ家電自体とは別体の管理装置（ＩＰ家電管理装置）とし、ルータ、モデム、ゲートウェイのようにＷＡＮ（Wide Area Network ）であるインターネットとＬＡＮ（Local Area Network）の間に設ける例で、単体ユニットのほか、ＡＤＳＬや光のモデムやルータなどと一体化してもよい。
【００４３】
〔２−１．第２実施形態の構成〕
この場合、図３に示すように、管理装置２は、主たる外部接続回線となるインターネットＮとのＷＡＮ側接続のためのＷＡＮ側接続部３Ｗと、管理対象とするＩＰ家電の接続される宅内ＬＡＮ２０とのＬＡＮ側接続のためのＬＡＮ側接続部３Ｌと、各接続部３Ｗ、３Ｌによる通信を含む情報処理を行う制御部５２と、を備える。ＷＡＮ側接続部３Ｗに、必要なルータモデムなど接続機器の機能を持たせてもよい。
【００４４】
そして、制御部５２が所定のプログラムにより、第一実施形態に準じて、リモコン機能部６０、更新部７０、履歴送信部８０を実現し、これらは宅内ＬＡＮ２０を経てＩＰ家電（例えば、１０１、１０２）について、インターネットＮ経由のリモコン操作受付、プログラム等のダウンロード更新、履歴データの送信などを行う。
【００４５】
このように、インターネットと宅内ＬＡＮの間に、ルータやゲートウェイのように接続する管理装置を用いることにより、宅内ＬＡＮ上の複数のＩＰ家電を、低コストで容易に漏れなく集中管理することが可能となる。
【００４６】
〔２−２．第２実施形態の作用効果〕
〔２−２−１．回線障害の処理〕
このような第２実施形態では、まず、回線障害の処理が容易になる。すなわち、宅内ＬＡＮ２０又は他の接続部を経て接続されるバックアップ用通信手段（例えば、一般加入電話回線やＩＳＤＮ用の電話機、ＰＨＳなどの携帯型電話端末など）３Ｂを設けておき、制御部５２により、各接続部３Ｗ、３Ｌ及びバックアップ用通信手段３Ｂの制御を含む情報処理を行う。
【００４７】
また、ＷＡＮ側接続部３Ｗを用いて通信するためのＷＡＮ側接続設定情報（例えば、ＩＰアドレス、デフォルトゲートウェイ、プライマリ及びセカンダリＤＮＳサーバなど）と、ＬＡＮ側接続部３Ｌを用いて通信するためのＬＡＮ側接続設定情報と、をバックアップ記憶部１１５に記憶しておく。
【００４８】
そして、制御部５２が上記プログラムによりＬＡＮ障害対応部１１０を実現し、このＬＡＮ障害対応部１１０は、ＬＡＮ側接続の障害を検出した場合、対応処理として、バックアップ記憶部１１５から読み出すＬＡＮ側接続設定情報を用いてＬＡＮ側接続を復旧する（これを自前処理と呼ぶこととする）。
【００４９】
また、ＬＡＮ側接続の障害を検出した場合、ＬＡＮ障害対応部１１０が行う他の対応処理として、ＷＡＮ側接続３Ｗ又はバックアップ用通信手段３Ｂを用いて所定の通信先と通信することにより前記障害について報知、診断もしくは復旧を行う（これを遠隔処理と呼ぶこととする）。このような遠隔処理には、例えば、障害復旧用のセンタ設備に設けられたリモコン操作卓を呼び出し係員からのリモコン操作を受けることなどによっても実現できる。また、これら自前処理と遠隔処理は、一方を行ってもよいし、両方を行ってもよく、例えば、自前処理に失敗した場合に遠隔処理を行ってもよい。
【００５０】
また、制御部５２が上記プログラムによりＷＡＮ障害対応部１２０を実現し、このＷＡＮ障害対応部１２０は、ＷＡＮ側接続の障害を検出した場合、対応処理として、バックアップ記憶部１１５から読み出すＷＡＮ側接続設定情報を用いてＷＡＮ側接続を復旧する（自前処理）。また、ＷＡＮ側接続の障害を検出した場合、ＷＡＮ障害対応部１１５が行う他の対応処理として、バックアップ用通信手段３Ｂを用いて所定の通信先と通信することにより前記障害について報知、診断もしくは復旧を行う（遠隔処理）。ＷＡＮ接続の障害についても、これら自前処理と遠隔処理は、一方を行ってもよいし、両方を行ってもよく、例えば、自前処理に失敗した場合に遠隔処理を行ってもよい。
【００５１】
このように、ルータやゲートウェイのようにＷＡＮ側とＬＡＮ側接続を持ち、宅内ＬＡＮ経由でＩＰ家電を集中管理する管理装置において、ＷＡＮ側とＬＡＮ側の接続障害を、バックアップしておいたそれぞれの接続設定で復旧することに加え、復旧失敗など場合により、障害がない側の接続手段や別途のバックアップ用通信手段により支援や監視用のセンタサーバなどと通信して障害の報知、診断や復旧を行うことができる。これにより、ＷＡＮ側とＬＡＮ側の接続を用いたＩＰ家電の集中管理という複雑な形態においても、ユーザに知識や能力を要求することなく、接続がらみの障害を容易に復旧し、障害の影響や復旧費用を最小限に抑制することが可能となる。
【００５２】
〔２−２−２．認証と異常検出〕
また、特定操作についての第二の認証や、正常や異常のパターンデータによる異常検出は、第１実施形態に準じて行ってもよい。また、例えば、履歴データの異常検出は、宅内側に代え又は加えて、インターネットＮ上のサーバシステムＳ２で行ってもよい。
【００５３】
すなわち、サーバシステムＳ２は、インターネットＮと通信するための図示しない接続部と、前記接続部による前記通信を含む情報処理を行う制御部５４と、を備え、この制御部５４とプログラムにより実現される受信蓄積部８８が、ＩＰ家電１０１、１０２やＩＰ家電管理装置２から、そのＩＰ家電１０１、１０２や管理装置２への外部からのアクセス、リモコン操作、プログラム又はデータのダウンロード更新、そのＩＰ家電１０１、１０２の検出系１１の動作、制御系１２の動作、駆動系１３の動作、の少なくともいずれかの内容を表す履歴データ８５を、インターネットＮ及び前記接続部を経て受信し所定の記憶部に蓄積する。
【００５４】
また、サーバＳ２のパターン記憶部９５に、条件、操作及び動作のうち複数を、時間又は回数の条件を伴う又は伴わない論理演算で結合したものを、個別又は類型グループのＩＰ家電ごと、管理装置２ごと又はユーザごとに対応付けた、正常又は異常のパターンデータを記憶しておく。
【００５５】
そして、制御部５４とプログラムにより実現される異常検出部９０が、前記パターン記憶部９５から読み出す前記パターンデータとの照合により履歴データ８５を監視するとともに、異常を検出した場合は所定の出力装置又は送信先へ検出内容を出力する。
【００５６】
このように、インターネット経由で集まってくる履歴データについて、正常や異常のパターンデータに基づく異常検出をサーバで集中して行うことにより、最新のパターンデータを利用しながらその配信無しで他責被害の検出が可能となる。
【００５７】
〔３．他の実施形態〕
なお、本発明は上記各実施形態に限定されるものではなく、以下に例示するもの及びそれ以外のものを含む他の実施形態を包含するものである。例えば、マイクロホン等やモニタの機能、リモコン操作の種類に応じて異なった認証を行うこと、ＩＰ家電の管理装置がバックアップ用通信手段を備えたりＬＡＮ側とＷＡＮ側の障害に対応することなどは省略可能である。
【図面の簡単な説明】
【００５８】
【図１】本発明の第１実施形態の構成を示す機能ブロック図。
【図２】本発明の第１実施形態における処理手順を示すフローチャート。
【図３】本発明の第２実施形態の構成を示す機能ブロック図。
【符号の説明】
【００５９】
１、１０１、１０２…ＩＰ家電
２…ＩＰ家電管理装置
１０…家電装置部
１１…検出系
１２…制御系
１３…駆動系
２０…宅内ＬＡＮ
４０、３Ｌ、３Ｒ…接続部
３Ｂ…バックアップ用通信手段
５０、５２、５４…制御部
５５…プログラム
６０…リモコン機能部
６５…特定操作記憶部
７０…更新部
８０…履歴送信部
８５…履歴データ
８８…受信蓄積部
９０…異常検出部
９５…パターン記憶部
１００…モニタ部
１１０…ＬＡＮ障害対応部
１１５…バックアップ記憶部
１２０…ＷＡＮ障害対応部１２０
Ｍ…マイクロホン
Ｎ…インターネット
Ｓ、Ｓ２…サーバ
Ｒ…ルータ、モデム等
Ｖ…ビデオカメラ
【図１】
2006201994.tif 000003
【図２】
2006201994.tif 000004
【図３】
2006201994.tif 000005